(57)【要約】【課題】発信者携帯無線電話機を管理中継局装置に自動接続し、所定の国語による着信側電話番号の入力要求を案内するシステムを提供することを目的とする。【解決手段】発信者携帯無線電話機に装着された管理中継局自動接続装置と、着信者電話機と、発信者携帯無線電話機と着信者電話機が一般回線を介して接続される課金管理を行う管理中継局装置を含む中継局装置とを備え、中継局装置間は、インターネットを介して接続され、管理中継局自動接続装置は、管理中継局電話番号と課金番号とを登録したメモリーと、自動接続手段とを備え、管理中継局装置は、課金情報を登録したデータベースと、自動接続手段によって送信された発信情報を受信し、この発信情報よりデータベースを検索して該当する課金情報を取得し、この課金情報より通信サービスの提供可否を検査する利用条件検査手段とを備えることを特徴とする。【選択図】　　　　　図１
2004088173.tif 000002
【特許請求の範囲】
【請求項１】
ＶＯＩＰを利用した通信システムにより、通信料金の代金前払い方式による通信サービスを提供するシステムであって、
電話の発信者側が備える複数の発信者携帯無線電話機に共通に利用され、その発信者携帯無線電話機に装着された着脱自在な管理中継局自動接続装置と、電話の着信者側が備える携帯無線電話機や固定電話機である着信者電話機と、前記発信者携帯無線電話機と前記発信者電話機が一般回線を介して接続されて中継局業者が備える複数の中継局装置とを少なくとも備え、
前記中継局装置間は、インターネットを介して接続され、複数の前記中継局装置の中には、利用時間の課金管理を行う少なくとも１基の管理中継局装置を含み、
前記管理中継局自動接続装置は、前記発信者携帯無線電話機を前記管理中継局装置に自動接続する為の前記管理中継局装置の管理中継局電話番号と前記管理中継局装置がこの管理中継局自動接続装置の利用時間を課金する為の課金番号とを少なくとも登録したメモリーと、
前記発信者携帯無線電話機からの発信要求に応答して、前記管理中継局電話番号に該当する前記管理中継局装置に接続して前記課金番号を含む発信情報を送信する自動接続手段とを少なくとも備え、
前記管理中継局装置は、前記課金番号毎に前記通信サービスの利用可能時間を含む課金情報を少なくとも登録したデータベースと、
前記自動接続手段によって送信された前記発信情報を受信し、この発信情報より前記データベースを検索して該当する前記課金情報を取得し、この課金情報より前記通信サービスの提供可否を検査する利用条件検査手段とを少なくとも備えることを特徴とする、ＶＯＩＰを利用した代金前払い方式による通信システム。
【請求項２】
前記データベースは、所定の国語で録音された前記着信者電話機の着信側電話番号の入力要求を案内する音声を含む案内音声情報を更に含み、
前記管理中継局装置は、前記利用条件検査手段によって検査した検査結果が前記通信サービスの提供可の場合に、前記発信情報を送信した前記発信者携帯無線電話機に前記案内音声情報を送信する案内音声送信手段を更に備えることを特徴とする、請求項１に記載のＶＯＩＰを利用した代金前払い方式による通信システム。
【発明の詳細な説明】
【０００１】
【発明の属する技術分野】
本発明は、ＶＯＩＰ（Ｖｏｉｃｅ　ｏｖｅｒ　Ｉｎｔｅｒｎｅｔ　Ｐｒｏｔｏｃｏｌ）を利用した通信システムにより、通信料金の代金前払い方式による通信サービスを提供するシステムに関するものである。
【０００２】
【従来の技術】
ＶＯＩＰを利用した通信システムに於いては、国内に於ける所定の場所から海外に於ける所定の場所迄の専用回線とその海外のフリーダイヤル回線を使用して、低料金のプリペイドカードによる国際電話サービスが提供されている。
【０００３】
しかし、その利用者より、電話を掛ける際のプリペイドカードに記載された中継局の電話番号、課金番号の入力桁数が多い為、その入力の煩わしさや海外に於いて、そのプリペイドカードによる国際電話サービスを利用する際、その操作指示メッセージが日本語で通知されない、と言った運用面についての問題点が指摘されている。
【０００４】
又、代金前払い方式を利用した携帯電話に関するシステムの事例して、例えば、特開２００２−５０８６３３号に開示されている「プリペイドカードを伴う携帯電話通信システム」等が示すように、携帯電話の電話料金をプリペイドカード自体に課金することを主体にしており、前述の問題点に対応した運用改善については記載されていない。
【０００５】
【発明が解決しようとする課題】
以上のような問題を解決する為に本発明では、通信料金の代金前払い方式による通信サービスに於いて、利用者の携帯無線電話機を所定の管理中継局装置に自動接続し、海外に於いても、所定の国語で録音された着信者電話機の着信側電話番号の入力要求を案内するシステムを提供することを目的とする。
【０００６】
【課題を解決するための手段】
上記目的を達成する為、請求項１に記載の発明は、ＶＯＩＰを利用した通信システムにより、通信料金の代金前払い方式による通信サービスを提供するシステムであって、
電話の発信者側が備える複数の発信者携帯無線電話機に共通に利用され、その発信者携帯無線電話機に装着された着脱自在な管理中継局自動接続装置と、電話の着信者側が備える携帯無線電話機や固定電話機である着信者電話機と、前記発信者携帯無線電話機と前記発信者電話機が一般回線を介して接続されて中継局業者が備える複数の中継局装置とを少なくとも備え、
前記中継局装置間が、インターネットを介して接続され、複数の前記中継局装置の中には、利用時間の課金管理を行う少なくとも１基の管理中継局装置を含み、
前記管理中継局自動接続装置が、前記発信者携帯無線電話機を前記管理中継局装置に自動接続する為の前記管理中継局装置の管理中継局電話番号と前記管理中継局装置がこの管理中継局自動接続装置の利用時間を課金する為の課金番号とを少なくとも登録したメモリーと、
前記発信者携帯無線電話機からの発信要求に応答して、前記管理中継局電話番号に該当する前記管理中継局装置に接続して前記課金番号を含む発信情報を送信する自動接続手段とを少なくとも備え、
前記管理中継局装置が、前記課金番号毎に前記通信サービスの利用可能時間を含む課金情報を少なくとも登録したデータベースと、
前記自動接続手段によって送信された前記発信情報を受信し、この発信情報より前記データベースを検索して該当する前記課金情報を取得し、この課金情報より前記通信サービスの提供可否を検査する利用条件検査手段とを少なくとも備えることを特徴とする。
【０００７】
この請求項１に記載の発明により、利用者は、電話を掛ける際に、管理中継局の電話番号、通信料金の代金前払い方式の為の課金番号の入力を省略することができる。
【０００８】
請求項２に記載の発明は、前記データベースが、所定の国語で録音された前記着信者電話機の着信側電話番号の入力要求を案内する音声を含む案内音声情報を更に含み、
前記管理中継局装置が、前記利用条件検査手段によって検査した検査結果が前記通信サービスの提供可の場合に、前記発信情報を送信した前記発信者携帯無線電話機に前記案内音声情報を送信する案内音声送信手段を更に備えることを特徴とする。
【０００９】
この請求項２に記載の発明により、利用者は、国内の他に海外で通信料金の代金前払い方式を利用する際にも、その操作指示メッセージを国内と同様の国語で通信サービスを受けることができる。
【００１０】
【発明の実施の形態】
以下、本発明の一実施の形態を図に基づいて詳細に説明する。
図１は本発明のＶＯＩＰを利用した代金前払い方式による通信システム１００のシステム構成を示す模式図である。
【００１１】
図１に示すように、ＶＯＩＰを利用した代金前払い方式による通信システム１００は、電話の発信者側が備える携帯無線電話機１と、電話の着信者側が備える固定電話機２と、携帯無線電話機１と固定電話機２が一般回線３を介して接続されて中継局業者が備えるサーバーの中継局装置４とから構成され、この中継局装置４間は、インターネット５を介して接続され、複数の中継局装置４の中には、利用時間の課金管理を行う１基の管理中継局装置１０を含む。
【００１２】
携帯無線電話機１は、複数の携帯無線電話機１に共通に利用され、着脱自在な管理中継局自動接続装置６が装着されており、この管理中継局自動接続装置６は、メモリー７を備える。
【００１３】
メモリー７には、携帯無線電話機１を管理中継局装置１０に自動接続する為の管理中継局装置１０の管理中継局電話番号と、この管理中継局自動接続装置６の利用時間を課金する為の課金番号とを登録する。
【００１４】
管理中継局装置１０は、代金前払い方式による通信サービスを提供する為に必要な情報を登録する為のデータベース２０を備える。
データベース２０は、課金テーブル２１、案内音声テーブル２２から構成される。
【００１５】
課金テーブル２１は、管理中継局自動接続装置６を使用した携帯無線電話機１の通信サービスの利用可能時間を管理する為の課金情報を記録するものである。課金情報には、検索キー部である課金番号と、データ部に属する利用可能時間、登録年月日等の情報を格納する。
携帯無線電話機１の利用時間は、固定電話機２の着信側電話番号に基づいて該当する管理中継局装置１０、又は、中継局装置４で計測され、管理中継局装置１０で計測された場合は、利用可能時間より利用時間を減算して更新する。中継局装置４で計測された場合は、利用時間を管理中継局装置１０に送信して、利用可能時間より利用時間を減算して更新する。
【００１６】
案内音声テーブル２２は、日本語で録音された案内音声情報を記録するものである。
案内音声情報には、検索キー部である音声番号と、データ部に属する案内音声、登録年月日等の情報を格納する。
案内音声には、「着信側電話番号の入力要求の案内音声」、「課金番号未登録のエラー通知音声」、「利用可能時間不足のエラー通知音声」等が登録される。
【００１７】
次に、管理中継局自動接続装置６の自動接続手段８が、携帯無線電話機１からの要求信号に応答して、メモリー７に登録された情報の検索を行う処理手順と、管理中継局装置１０の処理手段群３０が、自動接続手段８からの要求信号に応答して、データベース２０の検索を行う処理手順について詳細に説明する。図２は、本発明である管理中継局自動接続装置６に於ける自動接続手段８と管理中継局装置１０に於ける処理手段群３０の処理の流れ図であり、処理手段群３０は、以下の２手段から構成される。
【００１８】
これらは、利用条件検査手段３１、案内音声送信手段３２である。
【００１９】
自動接続手段８は、携帯無線電話機１からの発信要求に応答して、管理中継局電話番号に該当する管理中継局装置１０に接続して携帯無線電話機１の発信側電話番号と課金番号とからなる発信情報を送信する。
【００２０】
以下に、自動接続手段８の処理手順を詳細に説明する。
（１）携帯無線電話機１からの発信要求に応答して、携帯無線電話機１の発信側電話番号とメモリー７に登録されている管理中継局電話番号と課金番号とを取得する。
（２）取得した管理中継局電話番号に該当する管理中継局装置１０に携帯無線電話機１の発信側電話番号と課金番号とからなる発信情報を送信する。
【００２１】
利用条件検査手段３１は、自動接続手段８によって送信された発信情報を受信し、この発信情報よりデータベース２０を検索して該当する課金情報を取得し、この課金情報より通信サービスの提供可否を検査する。
【００２２】
以下に、利用条件検査手段３１の処理手順を詳細に説明する。
（１）利用条件検査手段３１は、管理中継局装置１０の電源投入時に自動起動され、自動接続手段８からの発信情報を受け付けるまでウエイトする。
（２）ウエイトの解除後、自動接続手段８から受け付けた発信情報に設定されている課金番号より、課金テーブル２１を検索して該当する課金情報を取得し、（３）の処理を行う。
課金情報が取得できなかった場合は、案内音声テーブル２２を検索して「課金番号未登録のエラー通知音声」が録音されている案内音声を取得して、自動接続手段８から受け付けた発信情報に設定されている発信側電話番号の携帯無線電話機１に取得した案内音声を送信して、処理を終了する。
（３）取得した課金情報に設定されている利用可能時間を検査する。利用可能時間がゼロ以外の場合は、自動接続手段８から受け付けた発信情報を案内音声送信手段３２に受け渡す。
利用可能時間がゼロの場合は、案内音声テーブル２２を検索して「利用可能時間不足のエラー通知音声」が録音されている案内音声を取得して、自動接続手段８から受け付けた発信情報に設定されている発信側電話番号の携帯無線電話機１に取得した案内音声を送信して、処理を終了する。
【００２３】
案内音声送信手段３２は、利用条件検査手段３１によって検査した検査結果が通信サービスの提供可の場合に、発信情報を送信した携帯無線電話機１に案内音声情報を送信する。
【００２４】
以下に、案内音声送信手段３２の処理手順を詳細に説明する。
（１）案内音声送信手段３２は、管理中継局装置１０の電源投入時に自動起動され、利用条件検査手段３１からの発信情報を受け付けるまでウエイトする。
（２）ウエイトの解除後、案内音声テーブル２２を検索して「着信側電話番号の入力要求の案内音声」が録音されている案内音声を取得する。
（３）利用条件検査手段３１から受け付けた発信情報に設定されている発信側電話番号の携帯無線電話機１に取得した案内音声を送信する。
（４）携帯無線電話機１からの固定電話機２の着信側電話番号の入力を受け付けて、入力した着信側電話番号の固定電話機２に信号を送信する。
【００２５】
以上、本発明の一実施の形態を詳細に説明したが、本発明は、本実施の形態に限られるものではない。本発明の技術的範囲から逸脱しない範囲内で多様に変更実施することが可能である。
【００２６】
【発明の効果】
以上説明したように、本発明のＶＯＩＰを利用した代金前払い方式による通信システムによれば、利用者は、電話を掛ける際の運用面に於いて、管理中継局への自動接続や母国語による操作指示メッセージで通信サービスを受けることができる。
【図面の簡単な説明】
【図１】本発明であるＶＯＩＰを利用した代金前払い方式による通信システムのシステム構成を示す模式図である。
【図２】本発明である管理中継局自動接続装置に於ける自動接続手段と管理中継局装置に於ける処理手段群の処理の流れ図である。
【符号の説明】
１　携帯無線電話機
２　固定電話機
３　一般回線
４　中継局装置
５　インターネット
６　管理中継局自動接続装置
７　メモリー
８　自動接続手段
１０　管理中継局装置
２０　データベース
２１　課金テーブル
２２　案内音声テーブル
３０　処理手段群
３１　利用条件検査手段
３２　案内音声送信手段
１００　ＶＯＩＰを利用した代金前払い方式による通信システム
【図１】
2004088173.tif 000003
【図２】
2004088173.tif 000004